(57)【要約】【課題】充電式の電池、電池システム、電気エネルギーの蓄積および供給方法を提供する。【解決手段】電池モジュール１０は、電池端子１３、第２の電池端子１４、第１のサブモジュール端子１７、第２のサブモジュール端子１８、第１のサブモジュール端子と第２のサブモジュール端子の間に電気的に接続された複数の充電式のセル及びスイッチング回路を備える複数のサブモジュール２２を有する。スイッチング回路は、１つのサブモジュールが接続動作モードの間、第１の電池端子と第２の電池端子の１つを、そのサブモジュールの第１のサブモジュール端子と第２のサブモジュール端子の１つに電気的に接続し、前記１つのサブモジュールが非接続動作モードの間、第１の電池端子と第２の電池端子の前記の１つを、そのサブモジュールの第１のサブモジュール端子と第２のサブモジュール端子の１つから電気的に切り離すように構成される。【選択図】図２
2019003953.tif 000002
【特許請求の範囲】
【請求項１】
第１の電池端子と、
第２の電池端子と、
前記第１および第２の電池端子の間に電気的に接続された複数の充電式のセルと、
前記複数の充電式のセルと外部装置が電気的に接続されていない状態から、前記複数の充電式のセルの前記外部装置への電気的接続の間、前記複数の充電式のセルに流れる電気エネルギー量を制御するように構成されたスイッチング回路と
を含む、電池。
【請求項２】
前記外部装置は、前記複数の充電式のセルから電気エネルギーを受け取るように構成された負荷を含む、請求項１に記載の電池。
【請求項３】
前記外部装置は、前記複数の充電式のセルに電気エネルギーを供給するように構成された充電器を含む、請求項１に記載の電池。
【請求項４】
前記スイッチング回路は、前記電気的接続の間、前記複数の充電式のセルに流れる前記電気エネルギー量を制御するように構成される、請求項１に記載の電池。
【請求項５】
前記複数の充電式のセルは、スイッチング回路と接触器を欠く電気的接続回路とを介して前記外部装置に電気的に接続される、請求項１に記載の電池。
【請求項６】
前記スイッチング回路は、前記電池に対する損傷が起きるしきい値を下回るレベルまで、前記複数の充電式のセルに流れる前記電気エネルギー量を制限するように構成される、請求項１に記載の電池。
【請求項７】
前記電池は、前記複数の充電式のセルと前記スイッチング回路とをそれぞれ含む複数のサブモジュールを含む、請求項１に記載の電池。
【請求項８】
前記スイッチング回路は、前記電気的接続の間の時間にわたって、非伝導状態から伝導状態にバイアスがかけられるように構成された少なくとも１つの半導体スイッチング装置を含む、請求項１に記載の電池。
【発明の詳細な説明】
【技術分野】
【０００１】
本発明は、電池、電池システム、電池サブモジュール、電池動作方法、電池システム動作方法、電池充電方法および電池システム充電方法に関する。
【背景技術】
【０００２】
充電式の電池は、多様な応用分野における電気エネルギーに対する様々な要求に対応するよう設計され、使用されている。充電式の電池システムは、充電中に電気エネルギーを受け取り、放電中に電気エネルギーを負荷に供給する充電式のセルからなる。充電式のセルは異なる化学物質を含み、一例ではリチウムイオンセルを含む。異なる応用分野で使用される充電式のセルの数は、要求される負荷の数に依存して変化し、ある実施態様、例えば輸送手段に使用される場合には非常に多い。
【発明の概要】
【発明が解決しようとする課題】
【０００３】
ある充電式のセルは現場で不具合を生じることがある。このような不具合は、個々のセルを動作不能にするばかりでなく、電池の中の他のセルが不具合を生じていなくてもこれらのセルを動作不能にしてしまう。このような動作不能なセルの数が増えると、電池が機能しなくなる点、あるいは負荷要求に答えることができなくなる点に達する。電池の構成によっては、動作不能なセルを交換することができず、電池自体が動作不能となる。
【０００４】
本発明は、改良された、充電式の電池、電池システムおよび電気エネルギーの蓄積および供給方法に関する。
【課題を解決するための手段】
【０００５】
本発明は、米国特許法「科学および有益な技術の進歩の促進」（第１条第８項）の法目的を促進するために提出された。
【０００６】
以下に記載されているように、充電式の電池モジュール、充電式の電池サブモジュール、および充電式の電池システム（選択的に、接続動作モードおよび非接続動作モードで動作）、およびこれらに関連する方法が、種々の実施態様により示される。接続動作モードの間、電池モジュール、電池サブモジュール、または電池システムの充電式のセルは、充電器または負荷といった外部装置から電気エネルギーを受け取り、および／または、これらに電気エネルギーを供給するように構成される。非接続動作モードの間、電池モジュール、電池サブモジュール、または電池システムの充電式のセルは、外部装置から電気的に切り離されており、したがって電気エネルギーを受け取り、および／または、電気エネルギーを供給するように構成されていない。よって、本発明のある実施態様では、適切に動作接続動作している部分を接続動作モードに維持する一方、非接続動作モードの電池システム、電池モジュールまたは電池サブモジュールの機能しない部分を切り離すことによって、ある実行時に改良された動作を提供する。
【０００７】
一実施態様によれば、電池は第１の電池端子、第２の電池端子、および複数のサブモジュールを有し、それぞれのサブモジュールは、第１のサブモジュール端子、第２のサブモジュール端子、第１のサブモジュールと第２のサブモジュールの間に電気的に接続された複数の充電式のセル、および、スイッチング回路を有し、スイッチング回路は、１つのサブモジュールが接続動作モードの間、そのサブモジュールの第１の電池端子および第２の電池端子の１つを第１の電池端子および第２の電池端子の１つと電気的に接続し、前記１つのサブモジュールが非接続動作モードの間、そのサブモジュールの第１の電池端子および第２の電池端子の１つを第１の電池端子および第２の電池端子の１つから電気的に切り離すように構成される。
【０００８】
一実施態様によれば、電池は第１の電池端子、第２の電池端子、および複数のサブモジュールを有し、それぞれのサブモジュールは、第１の電池端子と第２の電池端子の間に電気的に接続された複数の充電式のセルを有し、またそれぞれのサブモジュールは、各サブモジュールの充電式のセルが、第１の電池端子および第２の電池端子に対して電気エネルギーを供給し、または受け取る接続動作モード、および各サブモジュールの充電式のセルが、第１の電池端子および第２の電池端子に対して電気エネルギーを供給せず、受け取りもしない非接続動作モードで動作するように構成される。
【０００９】
他の一実施態様によれば、電池システムは第１のシステム端子、第２のシステム端子、および第１のシステム端子と第２のシステム端子の間に並列に接続された複数の電池列を有し、それぞれの電池列は第１のシステム端子と第２のシステム端子の間を直列に接続する複数の充電池を有し、またそれぞれの電池列は、各電池列が第１のシステム端子および第２のシステム端子に接続され、第１のシステム端子および第２のシステム端子に対して電気エネルギーを供給し、または受け取る接続動作モード、および各電池列が第１のシステム端子および第２のシステム端子に対して電気エネルギーを供給せず、受け取りもしない非接続動作モードで動作するように構成される。
【００１０】
また、他の一実施態様によれば、電池は第１の電池端子、第２の電池端子、および複数のサブモジュール、および制御回路を有し、それぞれのサブモジュールは、第１のサブモジュールと第２のサブモジュールの間に電気的に接続された複数の充電式のセルを有し、各充電式のセルは第１の電池端子および第２の電池端子の少なくとも一方から充電電気エネルギーを受け取り、前記制御回路はサブモジュールの充電式のセルを監視し、その結果を用いて、そのサブモジュールの異なる充電電気エネルギー量を有する充電式のセルに供給する、異なる充電電気エネルギー量を制御するように構成される。
【００１１】
また、他の一実施態様によれば、電池システムは第１のシステム端子、第２のシステム端子、複数の充電式の電池、および制御回路を有し、前記複数の充電式の電池は、第１のシステム端子と第２のシステム端子の間に接続されて、第１のシステム端子と第２のシステム端子に接続された負荷に電気エネルギーを供給し、充電式の電池を充電するために第１のシステム端子と第２のシステム端子に接続された充電器から電気エネルギーを受け取り、前記制御回路は、それぞれの充電式の電池を監視し、その結果を用いて、充電式の電池の少なくとも１つに供給される電気エネルギー量を制御するように構成される。
【００１２】
また、他の一実施態様によれば、電池は第１の電池端子、第２の電池端子、第１の電池端子と第２の電池端子の間を電気的に接続する複数の充電式のセル、およびスイッチング回路を有し、スイッチング回路は、充電式のセルと外部装置が電気的に接続されていない状態から、充電式のセルが外部装置に接続されている間、充電式のセルに通電される電気エネルギー量を制御するように構成される。
【００１３】
また、他の一実施態様によれば、電池システムは複数の充電式のセル、第１の接触回路、および第２の接触回路を有し、第１の接触回路は、第１の接触回路が接続動作モードの間、充電式のセルを外部装置に選択的に電気的に接続し、第１の接触回路が非接続動作モードの間、充電式のセルを外部装置から電気的に切り離すように設定され、第２の接触回路は、第２の接触回路が接続動作モードの間、充電式のセルを外部装置に選択的に電気的に接続し、第２の接触回路が非接続動作モードの間、充電式のセルを外部装置から電気的に切り離すように設定され、接続動作モードで動作している第２の接触回路は、接続動作モードで動作している第１の接触回路を流れる電流量に比べて少ない電流量を流すように構成される。
【００１４】
また、他の一実施態様によれば、電池は第１の電池端子、第２の電池端子、および複数のサブモジュールを有し、それぞれのサブモジュールは、第１の電池端子と第２の電池端子の間に電気的に接続された複数の充電式のセルを有し、またそれぞれのサブモジュールは、各サブモジュールの充電式のセルの充電または放電についての情報を蓄積するように構成された蓄積回路を有する。
【００１５】
また、他の一実施態様によれば、電池サブモジュールは、第１のサブモジュール端子、第２のサブモジュール端子、第１のサブモジュール端子と第２のサブモジュール端子の間に電気的に接続された複数の充電式のセル、および充電式のセルについての情報を蓄積するように構成された蓄積回路を有する。
【００１６】
また、他の一実施態様によれば、電池システムは、第１のシステム端子、第２のシステム端子、および第１のシステム端子と第２のシステム端子の間に並列に接続された複数の電池列を有し、それぞれの電池列は第１のシステム端子と第２のシステム端子の間を直列に接続する複数の充電池を有し、それぞれの電池列の電池は、個々の電池列の中間に位置する電池と複数のノードで直列に接続されており、第１の電池列のノードは第２の電池列のノードと接続されて、第１の電池列の各電池が、第２の電池列の対応する各電池とそれぞれ並列に電気的に接続される。
【００１７】
また、他の一実施態様によれば、電池システムは、第１のシステム端子、第２のシステム端子、第１のシステム端子と第２のシステム端子に接続された複数の充電池、および動作回路を有し、それぞれの充電池は、各充電式の電池の充電動作中に第１のシステム端子と第２のシステム端子から電気エネルギーを受け取り、各充電式の電池の放電動作中に第１のシステム端子と第２のシステム端子に電気エネルギーを供給するように構成された複数の充電式のセルと、各充電式の電池に充電動作または放電動作の少なくとも１つの動作を実行させるように構成される処理回路とを有し、動作回路は充電式の電池の制御回路と通信するように構成される。
【００１８】
また、他の一実施態様によれば、電池動作方法は、各サブモジュールの動作が接続動作モードの間、電池の複数のサブモジュールの複数の充電式のセルに電気エネルギーを流す工程、および、１つのサブモジュールを、電気エネルギーがそのサブモジュールの充電式のセルに流されない非接続動作モードに切り変える工程を有する。
【００１９】
また、他の一実施態様によれば、電池動作方法は、複数のサブモジュールの複数の充電式のセルを、第１の瞬間に外部装置に接続された端子に電気的に接続する工程、電気的に接続されている間、外部装置とサブモジュールの充電式のセルの間に電気エネルギーを流す工程、第２の瞬間にサブモジュールのセルを端子から電気的に切り離す工程を有する。
【００２０】
また、他の一実施態様によれば、電池システム動作方法は、電池列が端子において互いに並列に接続されており、各電池列は、端子と直列に接続された複数の充電式の電池を有する、複数の充電式の電池列からなる電池システムと、電池システムの端子に接続された外部装置の間に、電池列が接続動作モードの間電気エネルギーを流す工程、電気エネルギーが電池列の電池と外部装置の間に流れていない非接続動作モードの１つの電池列を動作する工程、を有する。
【００２１】
また、他の一実施態様によれば、電池充電方法は、充電式のセルを電気的に充電するために、端子を通して充電電気エネルギーを、電池の複数のサブモジュールの複数の充電式のセルに供給する工程、供給している間電池のサブモジュールの充電式のセルを監視する工程、そして監視結果を利用して、電池の他のサブモジュールの充電式のセルに異なる量の充電電気エネルギーを与える工程を有する。
【００２２】
また、他の一実施態様によれば、電池システム充電方法は、電気エネルギーを供給して電池システムの複数の充電式の電池を電気的に充電する工程、供給している間電池システムの充電式のセルを監視する工程、そして監視結果を利用して、少なくとも１つの充電式のセルに供給される電気エネルギーを制御する工程を有する。
【００２３】
また、他の一実施態様によれば，電池動作方法は、サブモジュールが接続動作モードの間伝導状態にある電池の複数のサブモジュールのスイッチング回路を動作して、ある瞬間サブモジュールの複数の充電式のセルを外部装置と電気接続する工程、少なくとも１つのサブモジュールが非接続動作モードの間、非伝導状態にあるその少なくとも１つのサブモジュールのスイッチング回路を動作して、他の瞬間、その少なくとも１つのサブモジュールの複数の充電式のセルを外部装置から電気的に切り離す工程、少なくとも１つのサブモジュールの動作を、非接続動作モードから接続動作モードに切り換える工程、そしてその少なくとも１つのサブモジュールのスイッチング回路を用いて、その切り換えの間、その少なくとも１つのサブモジュールの充電式のセルに流れる電気エネルギーを制限する工程を有する。
【００２４】
また、他の一実施態様によれば、電池システム動作方法は、電池システムの複数の充電式のセルを用いて電気エネルギーを蓄積する工程、接触回路を用いて、電池システムが接続動作モードの間、充電式のセルを充電および放電している間に充電式のセルと外部装置の間に電気エネルギーを流す工程、接触回路を用いて、電池システムが非接続動作モードの間、充電式のセルと外部装置を電気的に切り離す工程、電池システムの動作モードを、非接続動作モードから接続動作モードに切り換える工程、切り換えの間接触回路の第１の接触器を閉じる工程、切り換えの間であって第１の接触器を閉じた後、接触回路の第２の接触器を閉じる工程を有する。
【００２５】
また、他の一実施態様によれば、電池動作方法は、電気エネルギーを、電池の複数のサブモジュールの複数の充電式の電池に供給する工程、電池のサブモジュールの充電式の電池を放電する工程、サブモジュールのうちの１つの蓄積回路を用いてサブモジュールの充電式のセルの情報を蓄積する工程を有する。
【００２６】
また、他の一実施態様によれば、電池システム動作方法は、各電池列の充電式のセルが第１のシステム端子と第２のシステム端子の間に直列に接続されており、第１のシステム端子と第２のシステム端子の間に並列に接続されている複数の充電式の電池列に電気エネルギーを供給する工程、充電式の電池から、第１のシステム端子と第２のシステム端子に接続された負荷に電気エネルギーを放電する工程を有する方法であって、１つの電池列の１つの充電式の電池に対する前記供給工程または放電工程の少なくとも１つは、他の電池列を通して電気エネルギーを供給および放電する工程を有するものである。
【００２７】
また、他の一実施態様によれば、電池システム動作方法は、電池システムの複数の充電式のセルに電気エネルギーを流す工程、そして各充電式の電池は複数の充電式のセルを有するものであり、各充電の式電池に対して、各充電式の電池の各処理回路を用いてそれぞれ動作を行う工程、電池システムの動作回路を用いて充電式の電池の処理回路と通信を行う工程を有する。
【図面の簡単な説明】
【００２８】
本発明の例示の実施態様を以下の図面を参照しながら説明する。
【図１】一実施態様による電池モジュールの等角図法による斜視図である。
【図２】一実施態様による電池モジュールの機能ブロック図である。
【図３】一実施態様による電池モジュールの回路図の一例である。
【図４】一実施態様による電池モジュールの回路図の機能ブロック図である。
【図５】一実施態様による電池システムの機能ブロック図である。
【図５Ａ】一実施態様による電池セクションの機能ブロック図である。
【図６】一実施態様による負荷および充電器に接続された電池システムの機能ブロック図である。
【図７】一実施態様による電池システムの回路成分および電池の機能ブロック図である。
【図７Ａ】一実施態様による電池システムの回路成分および電池の機能ブロック図である。
【図８】一実施態様による電池モジュールの回路の機能ブロック図である。
【発明を実施するための形態】
【００２９】
図１に、電池（または電池モジュールともいう）を参照番号１０で示す。電池モジュール１０は、筐体１２、および異なる電圧が供給される第１の電池端子１３および第２の電池端子１４を含む（例えば、電池端子１４は接地電位で電池端子１３は接地電位より大きい）。
【００３０】
一実施態様において、複数の充電式のセル（図１には図示されず）が筐体１２の内部に収納されている。一実施態様において、充電式のセルはリチウムイオンセルからなる。これらの電池は動作状態でそれぞれ約３．２ボルトの電圧を供給する。他の実施態様では、他の充電式のセルが使用できる。
【００３１】
筐体１２の内部に収納される充電式のセルの数は電池モジュール１０の構成によって異なり、負荷の電気エネルギー要求量に合うように、直列／およびまたは並列に接続される。実際には例えば、電池モジュール１０は、端子１３と１４の間に１２．９または１９．２ボルトを供給するように構成される。電池モジュール１０内の配置を他のものにすることも可能である。
【００３２】
図に示された電池モジュール１０は、電池モジュール１０と外部装置（図示せず）との間の通信を行うインターフェース回路１６を含む。例えば、電池モジュール１０は、ある実施態様において、負荷および／または充電器といった外部装置と通信を行う。他の例では、後述するように、電池モジュール１０は、電池システムにおいて１つまたはそれ以上の電池モジュール１０とともに用いられ（電池システムの一例は図５に示される）、インターフェース回路１６は電池システム間の通信を行うように構成される。例えば、実施例において後述するように、電池モジュール１０は、他の電池モジュール１０および／または電池システムの動作回路と通信を行う。
【００３３】
図２に、電池モジュール１０のさらに詳細な構成を示す。図に示された電池モジュール１０は、モジュール回路２０、および複数のサブモジュール２２、または電池サブモジュール２２ともいう、を含む。説明のために図２に例として２つのサブモジュール２２が示されるが、他の電池モジュール１０はサブモジュール２２を１つのみを含んでもよく、またはさらにサブモジュール２２を含んでもよい。図に示される実施態様では、サブモジュール２２は、第１の電池端子１３と第２の電池端子１４の間に互いに並列に接続される。
【００３４】
一実施態様において、モジュール回路２０は、電池モジュール１０を監視し、および／または制御するように構成され、同様に、電池モジュール１０の外部との通信を行う。モジュール回路２０のさらに詳細な説明を以下に示す。
【００３５】
一実施態様において、サブモジュール２２はそれぞれ、電池モジュールから取り外しおよび交換可能である。例えばサブモジュール２２は、サブモジュール２２のセルまたは回路が例えば動作中に不良となった場合に、取り外しそして交換される。サブモジュール２２はそれぞれ、各サブモジュール２２のスイッチング回路２４、セル２６、およびサブモジュール回路２８を含む筐体を有する。一実施態様において、サブモジュール２２が不良または動作不能となった場合、サブモジュール２２全体が、（後述されるように）非接続動作モード中にされ、電池モジュール１０から取り外され、他の適切に機能するサブモジュール２２と交換される。
【００３６】
図に示す実施態様では、各サブモジュール２２は、第１のサブモジュール端子１７、第２のサブモジュール端子１８、スイッチング回路２４、複数の充電式のセル２６、サブモジュール回路２８を含む。第１のサブモジュール端子１７と第２のサブモジュール１８には異なる電圧レベルが供給され、それぞれ第１の電池端子１３および第２の電池端子１４に接続される。一実施態様において、例えば、端子１３および１４は正負に対応する。
【００３７】
一実施態様において、各サブモジュール２２のスイッチング回路２４は、１つまたはそれ以上のトランジスタなどの半導体スイッチング回路からなる。一具体例において、１つまたはそれ以上の充電トランジスタが、端子１３と各サブモジュール２２のセル２６の間で、１つまたはそれ以上の放電トランジスタと連続して直列に接続される。充電トランジスタおよび放電トランジスタのある配置においてボディーダイオードがあるため、充電トランジスタおよび放電トランジスタは、オフ状態において電流が一方向に流れるのを妨げる。したがって、一実施態様において、充電トランジスタは、充電トランジスタがオフ状態において各サブモジュール２２に電気エネルギーが流れ込まないように配置され、放電トランジスタは、放電トランジスタがオフ状態において各サブモジュール２２から電気エネルギーが流れ出さないように配置される。各サブモジュール２２のスイッチング回路２４の充電トランジスタおよび放電トランジスタの数は、サブモジュール２２の設計によって変わる。例えば、より高容量のサブモジュール２２は、より低容量のサブモジュール２２に比べて、より多くの（互いに並列に接続された）充電トランジスタ、およびより多くの（互いに並列に接続された）放電トランジスタを有する。半導体スイッチング回路として実行されるスイッチング回路２４は、各サブモジュール２２の充電式のセル２６に流れ込むまたは流れ出す電気エネルギー量を制御するために、異なる伝導状態でバイアスをかけられる。選択的にセル２６を端子１３と電気的に接続するスイッチング回路２４の他の構成も可能である。
【００３８】
サブモジュール２２は、異なる瞬間に接続動作モードおよび非接続動作モードで動作するように構成される。スイッチング回路２４の充電トランジスタおよび放電トランジスタの１つまたは両方は、接続動作モードの間、セル２６を端子１７に電気的に接続する閉じた回路で構成される（これによりセル２６を充電および／または放電する）。したがって、サブモジュール２２が接続動作モードの間、サブモジュール２２のセル２６は、各セル２６を充電するために電池端子１３，１４から電気エネルギーを受け取り、および／または、サブモジュール２２の各セル２６の放電動作中、電池端子１３，１４に電気エネルギーを供給するように構成される。スイッチング回路２４は、非接続動作モードの間、セル２６を端子１７から電気的に切り離す（セル２６は充電または放電されない）開かれた回路で構成される（例えば、充電トランジスタと放電トランジスタの両方が開かれている）。
【００３９】
ある実施態様において、サブモジュール２２は、接続動作モードおよび非接続動作モードにおいて互いに独立して動作するように構成される。例えば、電池モジュール１０の１つまたはそれ以上のサブモジュール２２は接続動作モードで動作し（各スイッチング回路２４の充電トランジスタおよび／または放電トランジスタが「オン」または伝導状態で）、一方、電池モジュールの他のサブモジュール２２は非接続動作モードで動作する（各スイッチング回路２４の充電トランジスタおよび／または放電トランジスタが「オフ」または非伝導状態で）。したがって、一実施態様において、電池モジュール１０は、異なる瞬間に複数の異なるモードで動作するように設定され、異なる数の充電式のセル２６が、電気エネルギーを負荷に供給しまたは充電器から充電電気エネルギーを受け取る。
【００４０】
本発明に記載するように、電池モジュール１０（または、例えば図５で後述する電池システム１００）の異なる部分が、接続動作モードまたは非接続動作モードで独立に制御される。サブモジュール２２のそれぞれが接続動作モードまたは非接続動作モードとなるように、サブモジュール２２のスイッチング回路２４は、それぞれ開かれ、または閉じられる。システムが停止した場合、サブモジュール２２全てを非接続動作モードにするように、全てのサブモジュール２２のスイッチング回路２４は開かれる。したがって、１つの電池モジュール１０または電池システムの複数の電池モジュール１０のサブモジュール２２は、非接続動作モードにされる。さらに、１つの電池モジュール１０を含む配置に対しては、１つの電池モジュール１０が非接続動作モードにされた場合、１つの電池モジュール１０のサブモジュール２２のスイッチング回路２４が開かれる。複数の電池モジュール１０を含む配置に対しては、１つの電池モジュール１０が非接続動作モードにされ、電池システムの他の電池モジュール１０は接続動作モードにされる。
【００４１】
後述するように、電池システムは、複数の電池列に配置された複数の電池モジュール１０を含む。電池モジュール１０の電池列は、接続動作モードおよび非接続動作モードにおいて独立に動作するように制御される。電池モジュール１０の１つの電池列のサブモジュール２２のスイッチング回路２４は、その電池モジュール１０の電池列を非接続動作モードにするように開かれる。他のサブモジュール２２および／または電池モジュール１０（電池モジュール１０の他の電池列に配置されてもよい）のスイッチング回路２４は閉じられ、他のサブモジュール２２および／または電池モジュール１０を接続動作モードにする一方、あるサブモジュール２２または電池モジュール１０は非接続動作モードで動作される。１つの具体例では、ある電池モジュール１０の１つのサブモジュール２２は接続動作モードにされ、一方、その電池モジュール１０の他のサブモジュール２２は非接続動作モードにされる。ある実施態様では、ある電池列の１つの電池モジュールは非接続動作モードにされ、一方、同じ電池列の１つまたはそれ以上の他の電池モジュール１０は接続動作モードにされる（例えば、以下の図５Ａの実施例の態様についての記載を参照のこと）。
【００４２】
したがって、１つの実施態様において、電池モジュール１０または電池システム（例えば、複数の電池モジュール１０からなる）の様々な部分は、接続動作モードまたは非接続動作モードで独立に動作される。実施例の態様において、接続動作モードと非接続動作モードの間の動作の制御は、サブモジュールレベル、電池列レベル、および／または全電池システムレベルで実行される。さらに、電池モジュール１０または電池システムは、異なる瞬間にいくつのセル２６が接続動作モードまたは非接続動作モードで動作しているかに基づいて、異なる瞬間に電気エネルギーを受け取るまたは供給するように構成された、異なる数のセル２６を有する。ある電池モジュール１０がサブモジュール２つを有し、ある瞬間に１つのサブモジュール２２のみが非接続動作モードにある場合、サブモジュール２２が同じ数および配置のセル２６を含んでいれば電池モジュール１０の容量は半分に減少する。
【００４３】
上述のように、サブモジュール２２は、電池モジュール１０の通常動作の間、電気エネルギーを供給し、および／または受け取るように、接続動作モードで動作する。しかしながら、種々の理由から、１つまたはそれ以上のサブモジュール２２が非接続動作モードで動作することが好ましい。例えば、サブモジュール２２の内部セル２６が電池モジュール１０の動作中に不良または故障したとき、電池モジュール１０、電池システム（存在する場合）、負荷、および／またはたの回路を保護するために、不良のセル２６を有するサブモジュール２２を非接続動作モードにすることが好ましい。一実施態様において、非接続動作モードにあるサブモジュール２２は、電池モジュール１０において、取り外されそしておそらく交換される。その後、電池モジュール１０に供給された、新しい、整備された、交換されたサブモジュール２２が、接続動作モードで動作を行う。さらに、一実施態様において、電池モジュール１０の他のサブモジュール２２は、サブモジュール２２が非接続動作モードの間、接続動作モードで動作を続ける。
【００４４】
他の例において、電池モジュール１０は、電池モジュール１０の外部から、電池モジュール１０の全てのサブモジュール２２を非接続動作モードで動作するよう要求するコマンドを受け取り、電池モジュール１０のそのサブモジュール２２は、その要求の受領に応答して、非接続動作モードで動作するように制御される。具体例において、そのコマンドは、電池モジュール１０の外部で（例えば、電池システムの他の部品において）生じたアラーム状態に応答して、負荷から、充電器から発生される。したがって、一実施態様において、１つまたはそれ以上のサブモジュール２２は、１つまたはそれ以上のサブモジュール２２の外部に存在するアラーム状態に応答して、非接続動作モードで動作するように構成される。
【００４５】
一実施態様において、サブモジュール２２は接続動作モードおよび非接続動作モードで選択的に動作するように構成されており、これにより電池モジュール１０は柔軟に実行できて、１つまたはそれ以上の不良または故障したセル２６が存在した場合でも動作を続行できる。特に、各サブモジュール２２の１つまたはそれ以上のセル２６が故障した場合（あるいは各サブモジュール２２の動作を停止させることが好ましい場合）、各サブモジュール２２のスイッチング回路２４は開かれて各サブモジュール２２は非接続動作モードとなり、一方、電池モジュール２２の他のサブモジュール２２は接続動作モードで動作し続ける。１つまたはそれ以上のサブモジュール２２が非接続動作モードになると電池モジュール１０の容量は減少するが、少なくとも１つの電池サブモジュール２２が接続動作モードで動作しており、電池モジュール１０は接続動作モードで動作し続けることができる利益がある。接続動作モードで動作する電池モジュール１０のサブモジュール２２がない時、電池モジュール１０は非接続動作モードにあると考えられる。さらに、接続動作モードで動作する電池モジュール１０がない時、電池システムは非接続動作モードにあると考えられる。
【００４６】
充電式のセル２６はサブモジュール端子１７、１８の中間に直列の電池列に配置され、所望の電圧を供給する（例えば、上述の３．２Ｖのセル４つを直列に接続すると１２．８Ｖを供給する）。他の実施態様では、他の数のセル２６が直列に接続されている（例えば、ある実施例態様ではセル２６が２〜２４個直列に接続されている）。さらに、セル２６が直列に接続された複数の電池列が、サブモジュール端子１７、１８の間に並列に接続されて所望の容量を供給する。一例では、セル２６の４５の電池列がサブモジュール２２の中で並列に接続される。他の実施態様では、他の数の電池列がサブモジュール２２内部で接続される。
【００４７】
さらに後述するように、一実施態様において、サブモジュール回路２８は蓄積回路２９を有する。一実施態様において、蓄積回路２９は各サブモジュール２２それぞれについて情報を蓄積するように構成される。一実施態様において、蓄積回路２９は、電池モジュール１０の充電および放電についての情報を蓄積するように構成される。例えば、蓄積回路２９は、サブモジュール２２の構成に関する情報（例えば、セル２６の数および配置）、およびサブモジュール２２の過去の使用に関する履歴情報を蓄積する。蓄積回路２９は、蓄積された情報をそれに続く回復の為に保持するように構成された適切なメモリとして実行される。
【００４８】
一実施態様において、蓄積回路２９の内部に蓄積された構成情報は、電池モジュール１０内部のそれぞれのサブモジュール２２を用いるのを促すための情報からなる（例えば、電池モジュール１０内の故障したサブモジュール２２を交換する時）。構成情報は、それぞれのサブモジュール２２について少なくとも１つの動作を制御または実行するために処理回路４４（図４について後述される）によって用いられる。例えば、処理回路４４は、それぞれのサブモジュール２２を充電および／または放電を実行するための構成情報を用いる。一実施態様では、蓄積回路２９は、サブモジュール２２内部に含まれているセル２６の化学組成に関する構成情報を有し、また例えばサブモジュール２２を充電するのに必要とされる充電電流、および実質的に充電された状態においてセル２６に必要とされる電圧範囲を指定する。蓄積回路２９は、サブモジュール２２内に含まれるセル２６、バンク３０、電池列３１（図３において一例として後述される）の数に関する構成情報、および、それぞれの電池モジュール１０にサブモジュール２２を設置する際に、モジュール回路２０によってそれぞれのサブモジュール２２が監視される際に用いられるタップまたはポートに関する情報を有する。
【００４９】
蓄積回路２９はまた、サブモジュール２２の過去の使用履歴に関する履歴情報を含む。例えば、サブモジュール２２の充電／およびまたは放電に関する履歴情報が蓄積される。一実施態様において、サブモジュール２２の電気特性（例えば、電圧、充電電流／およびまたは放電電流、充電状態など）などの１つまたはそれ以上の動作パラメータが、サブモジュール２２の使用中の異なる瞬間に蓄積される。一実施態様において、サブモジュール２２の使用に関する一時的な情報が蓄積される。例えば、電気特性に関して蓄積される情報に対応する日付および時刻の情報が蓄積される。一時的な情報は、サブモジュール２２が使用された時間の長さを示すために蓄積される。
【００５０】
蓄積される履歴情報のさらに具体的な例は、サブモジュール２２の充電および／または放電サイクル数、サブモジュール２２の充電または放電状態、サブモジュール２２の使用
中に存在するアラーム状況またはアラーム発生の数（例えば，使用中にサブモジュール２２の推奨しきい値を超えたこと）を含む。この情報は、後続の回復のために記録されるある形式の情報を表す。サブモジュール２２に関する他の情報も記録される。蓄積された、または記録された情報は、例えば、保証の目的のためにそのサブモジュールが使用されるかを決定するために、サブモジュール２２の製造者（または他の適切な団体）によって利用される。サブモジュール２２は、サブモジュール２２の不良原因を決定しようと試みるために記録された情報にアクセスする製造者へ、顧客から返却される。
【００５１】
蓄積回路２９に加え、一実施態様において、サブモジュール回路２８は、モジュール回路２０と通信を行うためにインターフェース回路（図示せず）を含む。サブモジュール回路２８は適切な相互接続またはタップ（図示せず）を含み、外部回路がサブモジュール２２の電気特性（例えば、セル２６の電圧、サブモジュール２２に流れる電流など）を監視することを可能とする。サブモジュール回路２８はまた温度検出装置、および、それに関連して使用中にサブモジュール２２の温度を監視するための相互接続を含む。
【００５２】
図３には、一実施態様による、２つのサブモジュール２２を含む電池モジュール１０の１つの詳細な構成が示される。サブモジュール２２は、サブモジュール端子１７，１８の中間に接続されたセル２６の複数の電池列３１を含む。図３の構成では２つの電池列３１が示されるが、他の実施態様ではセル２６の電池列の数が異なっていてもよい。互いに並列に接続された電池列３１のセル２６は、セル２６のバンク３０と呼ばれる。上述のように、スイッチング回路２４は、各サブモジュール２２のセル２６の電池列３１を電池端子１３に選択的に接続し、または切り離すことによって、各サブモジュール２２がそれぞれ接続動作モードおよび非接続動作モードとなるように制御される。
【００５３】
サブモジュール２２は、サブモジュール２２のそれぞれのセル２６とサブモジュール端子１８の間に接続された抵抗３４を含む。抵抗３４の電圧は、充電動作中にサブモジュール２６に流れ込む電流量、または放電動作中にサブモジュール２６から流れ出す電流量を決めるために監視される。
【００５４】
図に示されたサブモジュール２２は、セル２６のバンク３０と並列に接続された複数の平衡回路３６を含む。充電動作中、セル２６は端子１３，１４を通して受け取られた電気エネルギーを用いて充電される。しかしながら、各セル２６はセル２６間の違い（例えば、セル２６の製造上の公差）によって、異なる速度で充電される。平衡回路３６は、セル２６の異なるバンク３０間の電圧差を減少させるために設けられる。各平衡回路３６は、セル２６の各バンク３０を横断して抵抗と直列に接続されたトランジスタを含む。トランジスタは、セル２６のバンク３０が、完全に充電されたセル２６の電圧に対応する電圧しきい値に達するまで開けられるように構成される。そのしきい値に達すると、各平衡回路３６のトランジスタは、セル２６の各バンク３０周囲の電流を分岐する。平衡回路３６の分岐は、セル２６の各バンク３０の充電を減少、または止める動作を行う。各電圧しきい値となっていないセル２６の他のバンク３０は、セル２６のバンク３０がそのしきい値に達するまで充電を続ける。したがって、一実施態様において、バンク３０のセル２６の電圧は、各バンク３０のセル２６周囲の充電電流の分岐を制御するために用いられる。
【００５５】
さらに、一具体例において後述するように、サブモジュール２２のスイッチング回路２４は、充電動作中に各サブモジュール２２のセルの充電を制御するために利用される。
【００５６】
図４では、通信インターフェース４０、蓄積回路４２および処理回路４４を含むモジュール回路２０の一実施態様が示される。
【００５７】
通信インターフェース４０は、サブモジュール２２が、例えばサブモジュール回路２８、または後述する動作回路などの外部回路と通信を行うように配置される。通信インターフェース４０は、例えば、直列接続または並列接続、ＵＳＢポートまたはファイヤーワイヤーインターフェースなどの適切なインターフェースとして実行されてもよい。
【００５８】
蓄積回路４２は、実行コード、または命令（例えば、ソフトウェアおよび／またはファームウェア）、電子データ、データベース、または他のデジタル情報といったプログラミングを蓄積するように設定され、プロセッサが使用可能な媒体を含む。プロセッサが使用可能な媒体は、コンピュータプログラム製品または製造品で具体化され、これらの製品は、具体的な実施態様において、処理回路を含む命令実行システムによって使用され、または関連するプログラミング、データおよび／またはデジタル情報を含み、蓄積し、または維持することができる。例えば、典型的なプロセッサが使用可能な媒体は、電子媒体、磁気媒体、光学媒体、電磁媒体、赤外線媒体、または半導体媒体などの物理的な媒体のいずれをも含む。プロセッサが使用可能な媒体のより具体的な例は、フロッピー・ディスクなどのポータブル磁気フロッピー・ディスク、ジップディスク、ハードディスク・ドライブ、ランダム・アクセス・メモリ、読み出し専用メモリ、フラッシュメモリ、キャッシュメモリ、および／またはプログラミング、データまたは他のデジタル情報を蓄積可能な他の機器を含むがこれらに限られない。
【００５９】
一実施態様において、処理回路４４は、データを処理し、データのアクセスおよび蓄積を制御し、コマンドを出し、そして他の所望の動作を制御するように配置される。処理回路４４は、例えば電池モジュール１０の充電および／または放電について電池モジュール１０の動作を制御するように構成される。例えば、処理回路４４は、各サブモジュール２２のスイッチング回路２４を制御して、サブモジュール２２（または電池モジュール１０）が非動作モードの間、サブモジュール２２のセル２６を端子１３，１４から電気的に切り離し、またはサブモジュール２２および電池モジュール１０が動作モードの間、サブモジュール２２のセル２６を端子１３，１４に電気的に接続する。
【００６０】
処理回路４４は、電池モジュール１０の動作を監視するように構成される。例えば、処理回路４４は、電池モジュール１０のサブモジュール２２のセル２６の電気的特性（例えば、電圧、電流、充電状態）などの動作パラメータや温度情報を監視し、監視された結果について蓄積回路２９および／または４２を用いてデータの蓄積を制御する。例えば、上述のように、処理回路４４は、サブモジュール２２の蓄積回路２９および／または４２を用いてサブモジュール２２の履歴情報の蓄積を制御する。
【００６１】
処理回路４４は、サブモジュール２２の蓄積回路２９からの情報にアクセスするように構成される。例えば、処理回路４４は、例えば上述のような、電池モジュール１０で利用されるサブモジュール２２の構成を特定する構成情報にアクセスする。一実施態様において、処理回路４４は、不良サブモジュール２２と交換するために電池モジュール１０に挿入されたサブモジュール２２に関する情報にアクセスするために構成情報を利用する。
【００６２】
処理回路４４はまた、他の回路、例えば後述する共通電池システム１００で用いられる他の電池モジュール１０の他の処理回路４４、後述する電池システムの動作回路および／または他の装置、と通信するように構成される。さらに後述するように、処理回路４４は、電池モジュール１０の外部からコマンドを受け取り、コマンドに対応して接続動作モードと非接続動作モードの間で電池モジュール１０の動作を制御するように構成される。処理回路４４はまた、電池モジュールに関する状況情報（例えば、電池モジュール１０が接続動作モードまたは非接続動作モードで動作していること、電池モジュール１０の電気特性の状況）を示す状況メッセージを、他の処理回路４４および／または動作回路１０６に出力するように構成される。
【００６３】
処理回路４４は、少なくとも１つの実施態様において、適切な媒体によって与えられた所望のプログラミングを実行するように構成された回路を有する。例えば、処理回路４４は、例えば、ソフトウェアおよび／またはファームウェア命令、および／またはハードウェア回路を含む、実行可能な命令を実行するように構成された１つまたはそれ以上のプロセッサおよび／または他の機構として実行される。処理回路４４の具体的な実施態様は、ハードウェア論理、ＰＧＡ、ＦＰＧＡ、ＡＳＩＣ、状態機械、および／または他の機構のみ、またはこれらとプロセッサとの組み合わせを含む。処理回路のこれらの例は説明を目的としており、他の機構も可能である。
【００６４】
本発明の少なくともある実施態様は、適切な媒体（例えば、上述の蓄積回路４２）内部に蓄積されたプログラミングを用いて実行され、適切な処理回路４４を制御するように構成される。プログラミングは、例えば、製造品内に具体化されたものを含む適切な蓄積媒体を通して供給される。
【００６５】
上述のように、処理回路４４は、サブモジュール２２の種々の動作パラメータの状況を監視し、一実施態様において、監視結果に対応する動作制御（例えば、サブモジュール２２内のアラーム状態を検出した処理回路２２の監視結果に対応して、サブモジュール２２を非接続動作モードにする）を含むサブモジュール２２の種々の動作を制御するように構成される。処理回路４４はまた、制御回路とも呼ばれる。
【００６６】
一実施態様において、処理回路４４は、電圧監視回路５０、電流監視回路５２、および温度監視回路５４（これらは記載される実施例においてサブモジュール２２の電圧、電流及び温度の動作パラメータを監視する）、および、サブモジュール２２のそれぞれのスイッチング回路２４に接続される切換え論理回路５６を含むサブモジュール２２の回路と接続される。
【００６７】
電圧監視回路５０は、サブモジュール２２の電圧の状況情報を与えるように構成される。例えば、電圧監視回路５０は、各セル２６および／またはセル２６の電池列３１の電圧を与える。
【００６８】
電流監視回路５２は、サブモジュール２２に流れ込む、および／またはサブモジュール２２から流れ出す電流の状況情報を与えるように構成される。例えば、一実施態様において、電流監視回路５２は、図３の抵抗３４を含む。
【００６９】
温度監視回路５４は、サブモジュール２２の種々の部品および部分に関する温度の状況情報を与えるための１つまたはそれ以上のトランジスタ、または他の適切な回路を含む。
【００７０】
一実施態様において、処理回路４４は、各電池モジュール１０の動作中のアラーム状態の存在を監視する。例えば、処理回路４４は、それぞれのしきい値について動作パラメータ（例えば電気特性、温度）を監視し、切替えの限界値となる動作パラメータに応答するアラーム状態を示す。例えば、処理回路４４はサブモジュール２２のセル２６の電圧が所望の範囲内（例えば、各セルに対して２ボルト−３．８ボルトの範囲）であることを監視し、１つまたはそれ以上のセル２６の電圧が切替え限界値となった場合（すなわち、１つまたはそれ以上のセル２６の電圧が所望の範囲を下回るまたは超えることを示す）にアラーム状態を示す。同様に、処理回路４４は、所望の範囲についてサブモジュール２２に流れ込む、または流れ出す電流を監視し、電流がその範囲の所望のしきい値を下回るまたは超えた場合に、アラーム状態を示す。処理回路４４は、所望の範囲についてサブモジュール２２の温度を監視し、温度がその範囲の所望のしきい値を下回るまたは超えた場合に、アラーム状態を示す。
【００７１】
さらに後述するように、アラーム状態が検出された電池モジュール１０の処理回路４４は、存在するアラーム状態に応じて動作を開始する。例えば、一実施態様において、処理回路４４は、アラーム状態にあるサブモジュール２２に、非接続動作モードに入るように命令する。もう一つの例では、処理回路４４は、アラーム状態を含む対応する電池モジュール１０を非接続動作モードに入らせ、その電池モジュール１０の停止を開始する。アラーム状態を有する電池モジュール１０の処理回路４４は、動作回路１０６（図５）に、アラーム状態の検出、そして結果としてこれは電池システムの１つまたはそれ以上の他の電池モジュール１０が非接続動作モードとなること、または、おそらく、電池システムの全ての電池モジュール１０が非接続動作モードにあるシステムの停止にあること、を知らせる。
【００７２】
停止と別の、またはそれに加えた他の動作は、他の実施態様において実行される。例えば、範囲外の温度が検出された場合、処理回路４４は、ファンまたは他の適切な装置を制御して、電池モジュール１０またはサブモジュール２２内部の温度を、許容範囲内にする。もう一つの例では、各セル２６についてアラーム状態が検出された場合（例えば、セル２６に対する過電圧）、処理回路４４は、アラーム状態にあるそのセル２６を含むサブモジュール２２を非接続動作モードに入るように制御する。
【００７３】
処理回路４４は、一実施態様において、監視された動作パラメータについての履歴情報を作成し、各サブモジュール２２の蓄積回路２９を用いて状況履歴情報を蓄積する。一例では、処理回路４４は、異なる瞬間、および動作パラメータの監視中に検出されたアラーム状態における種々の動作パラメータの値（例えば、電圧、電流、充電／放電サイクル、温度、充電状態など）の蓄積を制御する。一実施態様において、蓄積された情報は、後に、サブモジュール２２の使用を決定し、そしておそらくサブモジュール２２の誤使用を特性するために保証目的で利用される。
【００７４】
一実施態様において、電池モジュール１０の処理回路４４は、各電池モジュール１０の動作パラメータの状況情報およびアラーム状態を、電池システムの動作回路（一実施態様において、動作回路１０６が図５に示される）と通信する。
【００７５】
後述する電流の急激な流れを制限し、またはバランスのとれた充電を提供するために、処理回路４４は、サブモジュール２２のスイッチング回路２４を制御するために、例えばサブモジュール２２を接続動作モードまたは非接続動作モードにするために、切換え論理回路５６を用いる。一実施態様において、スイッチング回路２４は１つまたはそれ以上の充電トランジスタ、および１つまたはそれ以上の放電トランジスタを含み、切換え論理回路５６は、処理回路４４からの充電トランジスタおよび放電トランジスタに対する各制御信号に対応して、実質的に同時に、その１つまたはそれ以上の充電トランジスタに実質的に同じバイアス電圧をかけ、実質的に同時にその１つまたはそれ以上の放電トランジスタに実質的に同じバイアス電圧をかけるように構成される。
【００７６】
一実施態様において、電池モジュール１０のセル２６の充電中に、電池モジュール１０の異なるサブモジュール２２のセル２６が実質的に同じ充電状態にある、電池モジュール１０の複数のサブモジュール２２が実質的にバランスのとれた充電がされることが求められる。一実施態様において、複数のサブモジュール２２の実質的にバランスのとれた充電を提供するために、処理回路４４は、サブモジュール２２の１つまたはそれ以上のセル２６の電気特性を監視し、充電中にサブモジュール２２に与えられる電気エネルギー量を制御するためにその監視結果を用いる。一実施態様では、各サブモジュール２２の各セル２６が監視され、あるいは各サブモジュール２２のセル２６の累積電圧が監視されてもよい。一実施態様において、サブモジュール２２のセル２６の監視結果に基づいて、充電電気エネルギーの異なる量が電池モジュール１０の異なるサブモジュール２２に与えられる。
【００７７】
一例において、処理回路４４は、セル２６の充電動作中に、各サブモジュール２２のセル２６のそれぞれおよび／または累積電圧を監視するために、電圧監視回路５０を用いる。一実施態様において、サブモジュール２２の監視結果に対応して、各サブモジュール２２のセルの充電を制御するため、サブモジュール２２に異なる量の電気エネルギーを与えるのを制御するために、処理回路４４はサブモジュール２２のスイッチング回路２４のトランジスタにかけるバイアスを異なる導電状態に制御する。例えば、電池モジュール１０の第１のサブモジュール２２のセル２６が、電池モジュール１０の第２のサブモジュール２２のセル２６より速く（そしてより高い電圧で）充電されている場合、処理回路４４は、各サブモジュール２２のセル２６の充電をバランスさせようとして（すなわち、複数のサブモジュール２２のセル２６を実質的に同じ充電状態にしようとして）、第１のサブモジュール２２のスイッチング回路２４のトランジスタにかけるバイアスを制御し、第２のサブモジュール２２のスイッチング回路２４のトランジスタの抵抗に比較して、トランジスタの抵抗をより増加させる。より具体的には、第２のサブモジュール２２のスイッチング回路２４は、第１のサブモジュール２２のスイッチング回路２４によって流される充電電流に比べて、より多くの充電電流を流す。一実施態様において、処理回路４４は、各サブモジュール２２に与えられる充電電流を制御することによって、各サブモジュール２２のセル２６の電圧を制御するように構成される。
【００７８】
図５には、電池システム１００の一実施態様が示される。図５に明示された電池システム１００は、異なる電圧レベル（例えば、正電圧とアース）で供給される複数のシステム端子１０１，１０３を含む。電池システム１００は、例えば、負荷および／または充電器などの、１つまたはそれ以上の外部装置１０２に電気的に接続されるように構成される。電池システム１００は、システム端子１０１，１０３に接続された負荷に電気エネルギーを供給するように構成される。さらに充電器は、システム端子１０１，１０３に接続され、電池システム１００を充電するために充電電流を供給するように構成される。
【００７９】
図示した態様の電池システム１００は、電池部１０４、動作回路１０６（あるいは電池動作ユニットまたはＢＭＵと呼ばれる）、および接触回路１１０を含む。
【００８０】
電池部１０４は、複数の充電式の電池１０７からなる。一実施態様において、電池１０７は、電池モジュール１０として実行される。本明細書において、電池システム１００の動作が、電池モジュール１０に関して説明されるが、電池システム１００の他の実施態様において、電池１０７の他の構成を用いることができる。電池部１０４は、負荷によって使用される電気エネルギーを蓄積するように構成される。電池部１０４は、電池部１０４の放電動作中に負荷に電気エネルギーを供給し、電池部１０４の充電動作中に充電器から電気エネルギーを受け取る。
【００８１】
図示された電池部１０４は説明のためのものであり、電池部１０４においては電池１０７の他の構成が可能である。図示された実施態様において、電池１０７はシステム端子１０１，１０３の中間に位置する複数の各電池列１０５において、直列に配置される。図５において電池１０７の配置は、電池１０７の電池列１０５の並列組である。さらに、電池１０７は、複数のバンク１０８に配置されて、負荷を動作させるために端子１０１，１０３に所望のシステム電圧を供給する。電池１０７は、電池システム１００の所望の電圧および／または動作容量を提供するために、他の所望の構成で配置されてもよい。
【００８２】
動作回路１０６は、図４に関して上述されたモジュール回路２０と同様の回路を有する。例えば、動作回路１０６は、電池部１０４の電池の負荷、充電器、および／または回路と通信するためにインターフェース回路を有する。動作回路１０６は、情報を処理し、例えば電池１０７を含む電池システム１０の動作を制御するために、負荷、充電器、および電池１０７との通信を実行するように構成された処理回路を含んでもよい。
【００８３】
一具体例において、動作回路１０６は、電池システム１００に関する状況情報（電池システム１００の充電状態、電圧、電流）の、外部装置１０２（例えば、負荷および／または充電器）への出力を制御する。一実施態様において、負荷または充電器における制御装置は、電池システム１００から受け取った情報を用いて負荷または充電器の動作を変える（例えば、電池システム１００の充電状態がしきい値より小さいことに対応して、より少ない電力消費モードにするように負荷を制御する、または充電電流を増加または減少させるように充電器を制御する）ように構成される。
【００８４】
さらに、動作回路１０６は外部装置１０２（例えば負荷または充電器）から情報を受け取り、それに対応して電池システム１００の動作を変える（例えば、電池システム１００を停止するためのシステム停止コマンドを出す）。一実施態様において、動作回路１０６と外部装置１０２は、ＣＡＮ Ｂｕｓネットワークを通して通信するが、他の構成も可能である。
【００８５】
動作回路１０６は、一実施態様において、電池システム１００に存在する電池１０７のそれぞれに、対応する固有のアドレスを割り当てることによって、各電池１０７の論理アドレスを実行するように構成され、そのアドレスは通信のために用いられる。さらに、動作回路１０６は、後述するように、１つまたはそれ以上の接触器１１２，１１８の動作を制御する。
【００８６】
一実施態様において、動作回路１０６は、電池１０７の充電を制御するように構成される。上述のように、外部装置１０２は、端子１０１，１０３を通して電池１０７に充電電気エネルギーを供給するように構成された充電器である。一実施態様において、動作回路１０６は、電池１０７の充電動作中に、電池１０７が実質的にバランスのとれた充電となる（例えば、電池１０７を実質的に同じ充電状態にする）ように構成される。例えば、各電池１０７の処理回路４４は、各電池１０７の電気特性に関する情報（例えば、セルの電圧またはセルの充電情報の状態など）を、動作回路１０６に伝える。電池１０７を実質的にバランスのとれた状態で充電するために、動作回路１０６は、異なる電池１０７に与える異なる量の充電電気エネルギーを制御するため、電池１０７の各処理回路４４を制御する制御信号を与える。
【００８７】
例えば、動作回路１０６は、電池１０７（一例では電池モジュール１０として実行される）の処理回路４４に制御信号を与える。電池１０７が実質的に均バランスのとれた充電を達成するため、処理回路４４は、各電池１０７（好ましい例では電池モジュール１０として構成される）のスイッチング回路２４に所望のバイアスを実行するために受け取った制御信号を使う。一例では、１つの電池１０７が他の電池１０７より高い充電状態にある場合、その電池１０７とバランスをとる（例えば、電池１０７を同じ充電状態とする）ため、他の電池１０７をより速い速度で充電するため、他の電池１０７に（その電池１０７によって受け取られた電気エネルギーに比べて）より多くの電気エネルギーを受け取らせるために、動作回路１０６は、その電池１０７のスイッチング回路２４のバイアスを減少させるように、高い充電状態を有するその電池１０７の処理回路４４に制御信号を発する。一例では、他の電池１０７より高い充電状態にある１つの電池１０７は、他の電池１０７が充電エネルギーを受け取っている間、（例えば、その電池１０７のスイッチング回路２４を用いて）充電器から切り離される。
【００８８】
動作回路１０６は、（例えば、図示されない動作回路１０６の蓄積回路内で、）電池システム１００の動作中、情報の蓄積を制御することによって、データロギング機能を与える。例えば、動作回路１０６はその寿命にわたって、または他の所望される使用において、アラーム状態の発生、動作パラメータ（例えば、電圧、電流、温度、充電状態など）、および電池１００に流入したまたはそこから流出した全電流量についての情報を蓄積する。
【００８９】
一実施態様において、動作回路１０６は充電器と通信を行うように構成される。例えば、その通信は、電池システム１００の充電が適切であるときに充電器にそれを示したり、電池システム１００の電池１０７が完全に充電されたので、充電を停止することを充電器に示す。充電器との他の通信が可能である。
【００９０】
一実施態様において、動作回路１０６は、電池システム１００のシステム動作を制御するように構成される。例えば、電池システム１００の動作温度が所望の動作範囲（例えば、０〜５０℃）外に変化した場合、動作回路１０６はファンや、加熱または冷却要素（図示せず）を制御して、電池システム１００の動作温度を適切な範囲内とする。
【００９１】
前述のように電池モジュール１０および電池システム１００は、異なる瞬間に、それぞれ接続動作モードおよび非接続動作モードで動作可能である。電池モジュール１０の動作モードにおいて、外部装置１０２は電池モジュール１０の電池端子１３，１４（図３）に電気的に接続されている。例えば、負荷が電池端子１３，１４に接続され、電池モジュール１０は負荷に供給する電気エネルギーを与える。他の例では、充電器が電池端子１３，１４に接続され、電池モジュール１０は電池モジュール１０を充電するために、充電器から充電電気エネルギーを受け取る。他の瞬間、電池モジュール１０は、電池モジュール１０は電気エネルギーを供給せず、受け取りもしない（すなわち、放電中でも充電中でもない）非接続動作モードにあり、例えば、電池モジュール１０のスイッチング回路２４を用いて、外部装置１０２（例えば、負荷および／または充電器）から電気的に切り離されている。電池モジュール１０は、電池部１０４の他の電池モジュール１０と独立に、接続動作モードおよび非接続動作モードで動作する。
【００９２】
電池システム１００および／または外部装置１０２（例えば、負荷または充電器）は、電池１０７が異なる動作モード間で移行する（例えば、電池モジュール１０として実行されている電池１０７が非接続動作モードから接続動作モードに移行する）間、急激に流れる過電流の影響を受ける。電池システム１００および／または電池システム１００に接続された外部装置１０２を急激に流れる過電流から保護するために、異なる配置について議論が進められる。第１の例においては、接触回路１１０が電流の急激な流れを制限するために設けられ、一方第２の例においては、電池１０７が電池モジュール１０として実行され、電池モジュール１０のサブモジュール２２のスイッチング回路２４が電流の急激な流れを制限するために利用される。電池モジュール１０は、電池端子１３，１４とセル２６に流れる電気エネルギー量を、電池モジュール１０および／または外部装置１０２に対する損傷が起きる可能性のあるしきい値を下回るレベルに制限するように構成される。
【００９３】
接触回路１１０は、電池モジュール１０、電池システム１００および／または外部装置１０２を損傷する可能性のある急激な過電流を流すことなく、電池システム１００を負荷または充電器といった外部装置１０２と電気的に接続するように構成される。図示された実施態様において、接触回路１１０は主接触器１１２および事前充電接触回路１１４、これらはそれぞれ第１の接触回路および第２の接触回路ともよばれる、を含む。
【００９４】
主接触器１１２および事前充電接触回路１１４は、個々に接続動作モードおよび非接続動作モードで動作するように構成される。主接触器１１２および事前充電接触回路１１４が接続動作モードにあるとき、接触器１１２，１１８は個々に閉じられ、電池１０７を、システム端子１０１，１０３に電気的に接続された外部装置１０２に電気的に接続する。
主接触器１１２および事前充電接触回路１１４が非接続動作モードにあるとき、接触器１１２，１１８は個々に開き、電池１０７をシステム端子１０１，１０３に接続された外部装置１０２から電気的に切り離すように動作する。後述のように、接続動作モードで動作している事前充電接触回路１１４は、接続動作モードで動作している主接触器１１２に比べて少ない電流量が流されるように構成される。
【００９５】
動作回路１０６は、一実施態様において、電池部１０４が外部装置１０２（例えば、負荷または充電器）から電気的に切り離されているある瞬間から、それに続く電池部１０４が外部装置１０２に電気的に接続されている瞬間の間の移行時間にわたって、接触回路１１０を制御するように構成される。例えば、動作回路１０６は、電池システム１００に流入するまたは流出する急激な過電流を防ぐため、電池システム１００が外部装置１０２に接続されている時、接触回路１１０が開となるように制御する。外部装置１０２が電池システム１００に電気的に接続された後、電池システム１００が非接続動作モードから接続動作モードに移行する間、動作回路１０６は、接触回路１１２を開き続ける一方、事前充電接触回路１１４の事前充電接触器１１８を閉じるように制御する。レジスタ１１６は、電池システム１００または外部装置１０２の部品または回路に損傷を与えない程度に電流を制限するように機能する。その後、（例えば、電池システム１００および／または外部装置１０２の静電容量を充電するために）事前充電接触回路１１４を用いて許容できる時間電流が流された後、あるいは急激な過電流を避けることができる適切な時に、動作回路
１０６は、電気エネルギーを電池部１０４から負荷に供給する、または充電電流を充電器から電池部１０４に供給するために、主接触器１１２を閉じるように制御する。一実施態様において、主接触器１１２および事前充電接触回路１１４の両者は、電池部１０４をシステム端子１０１から電気的に切り離すために、動作回路１０６によって実質的に同時に開けられる。
【００９６】
上述のように、一実施態様において、電池１０７は電池モジュール１０を用いて実行される。電池モジュール１０の各サブモジュール２２のスイッチング回路２４は、電池モジュール１０または複数の電池モジュール１０を有する電池システム１００が非接続動作モードから接続動作モードに移行する時（例えば、電池モジュール１０または電池システム１００が、負荷および／または充電器などの外部装置１０２に電気的に接続され始めた時）、急激な過電流を制限するように制御される。一例においては、接触回路１１０は省略され、電池モジュール１０のスイッチング回路２４を用いて急激な過電流が全て制限されてもよい。図５において、接触回路１１０が省略されて、電池部端子１２０と電池端子１０１が同じノードにあってもよい。この例では、電池システム１００の電池モジュール１０の充電式のセル２６は、接触器の空間である接続回路（例えば、端子１２０と外部装置１０２の中間の回路）を通して外部装置１０２と電気的に接続される。他の一例においては、接触回路１１０とスイッチング回路２４の両者が、急激な過電流を制限するのに利用される。
【００９７】
接触回路１１０が省略される一実施態様において、処理回路４４は、スイッチング回路２４（図２）が急激な電流の流れを制限するように制御するように構成される。一例において、サブモジュール２２のスイッチング回路２４の充電トランジスタは、非接続動作モードにおいて電池モジュール１０が動作している間バイアスがオフにされる。その後、電池モジュール１０を電気的に充電または放電することが望ましい。システム端子１０１，１０３を負荷または充電器につないだ後に、処理回路４４は、充電トランジスタをある時間にわたってバイアスするバイアス電圧を増加させて、電池モジュール１０のスイッチング回路４４の充電トランジスタにかけるバイアスをオフからオン状態にする。例えば、異なる実施態様において、傾斜状バイアス電圧またはステップ状バイアス電圧が用いられる。一例においては、放電トランジスタは既にオンでバイアスされており、続いて充電トランジスタをオフ状態からオン状態にして、電池システム１００および外部装置１０２の静電容量を充電するのに十分な時間、そして電池システム１００または外部装置１０２に与える損傷を避けるのに十分な時間にわたり、バイアスする。
【００９８】
他の一例においては、スイッチング回路２４の放電トランジスタおよび充電トランジスタの両者が、電池システム１００および／または外部装置１０２に与える損傷を避けるための時間にわたって、実質的に同時にバイアスされる。一例においては、スイッチング回路２４の適切な充電トランジスタおよび／または放電トランジスタが、ある時間（例えば、一実施例においては約２秒）にわたって（オフ状態から完全にオン状態にされ）オンでバイアスされる。
【００９９】
バイアスは、電池モジュール１０に流れる電流を、電池システム１００および／または外部装置１０２の電気回路の損傷が起こる可能性があるしきい値を下回る程度まで制限するように構成される。バイアス電圧は、電池モジュール１０および／または電池システム１００が非接続動作モードから接続動作モードに移行する間の時間にわたって、電池モジュール１０のスイッチング回路２４をオフからオンにしてバイアスするようにかけられる。
【０１００】
上述のように、いくつかの実施態様において、接触回路１１０および電池モジュール１０のスイッチング回路２４の両者は、急激な過電流を損傷のない許容可能な程度まで制限するために用いられる。例えば、一実施態様において、接触器１１２が閉じられた後、スイッチ回路２４は、傾斜状またはステップ状にバイアスがオンでかけられる。
【０１０１】
電池システム１００が電気エネルギーを負荷に供給し、または充電器から電気エネルギーを受け取る動作中、１つまたはそれ以上の電池１０７は部分的または完全に故障する可能性がある。上述のように、一実施例において電池１０７は電池モジュール１０として実行される。電池モジュール１０は複数のサブモジュール２２を有する。例えば、サブモジュール２２の１つが故障すると、電池モジュール１０が部分的に故障する。上述のように、故障したサブモジュール２２は非接続動作モードにされ、一方電池モジュール１０の１つまたはそれ以上の他のサブモジュール２２は接続動作モードで動作し続ける。
【０１０２】
図５において、電池１０７の電池列１０５は、個々に接続動作モードまたは非接続動作モードで動作し、接続動作モードまたは非接続動作モードでは、それぞれ、電池１０７の電池列１０５は外部装置１０２と電気的に接続され、または外部装置１０２から電気的に切り離される。電池モジュール１０として実行される電池１０７の電池列１０５は、全ての電池列１０５の電池モジュール１０が接続動作モード（すなわち、電池列１０５の各電池モジュール１０のそれぞれのサブモジュールの少なくとも１つが接続動作モードである）にある限り、接続動作モードで動作し続ける。接続動作モードで接続動作している、電池列１０５の電池１０７は、負荷に電気エネルギーを供給し、または充電器から電気エネルギーを受け取るために、システム端子１０１，１０３と電気的に接続される。
【０１０３】
しかしながら、電池システム１００の動作中のある瞬間、電池１０７の１つが完全に故障する（例えば、１つの電池モジュール１０の全てのサブモジュール２２が非接続動作モードにある）かもしれない。一実施態様においては、故障した電池１０７を含む電池１０７の電池列１０５の全ての電池１０７は、非接続動作モードで動作するように制御される。例えば、一実施態様において、電池１０７が電池モジュール１０として実行される場合、その電池列１０５の電池モジュール１０のサブモジュール２２のスイッチング回路２４は開かれて、その電池列１０５の電池モジュール１０を非接続動作モードにし、その電池列１０５の電池モジュール１０はシステム端子１０１，１０３から電気的に切り離される。さらに、非接続動作モードにある電池列１０５の電池モジュール１０はまた、スイッチング回路２４を開くことにより、お互いに電気的に切り離される。その電池列１０５の故障した電池１０７は交換され、その後、電池１０７の電池列１０５の動作は、放電または充電のため接続動作モードに戻る。
【０１０４】
一実施態様において、接続動作モードから非接続動作モードに切替えられたその電池列１０５の電池モジュール１０のスイッチング回路２４は、各電池モジュール１０のスイッチング回路２４にかかる電気的ストレスを減らすために、同じ瞬間に実質的に同時に開かれる。その電池列１０５のうちの１つの電池モジュール１０を非接続動作モードにすることにより、電池列１０５は停止となる。電池列１０５のその電池モジュール１０は、その電池列１０５が非接続動作モードにある間、端子１０１、１０３の１つから（例えば、それぞれのスイッチング回路２４によって）電気的に切り離される。電池１０７の１つまたはそれ以上の他の電池列１０５は、その電池列１０５の１つが非接続動作モードにある間、接続動作モードで動作し続ける。接続動作モードで接続動作しているその電池列１０５は、負荷に電気エネルギーを供給し続け、または充電器から電気エネルギーを受け取り続ける。
【０１０５】
したがって、電池システム１００は少なくともあるタイプの不良が存在する中で動作し続けるように構成される。例えば、上述のように、１つまたはそれ以上の電池１０７は接続動作モードで動作し続け、接続動作モードにおいては、１つまたはそれ以上の電池１０７は、１つまたはそれ以上の他の電池１０７が非接続動作モードで動作している間、充電電流を端子１０１，１０３から受け取り、または負荷に電気エネルギーを供給するように構成される。よって、電池システム１００の少なくとも１つの実施態様は、電池レベルで不良が存在しても動作するように構成される。さらに、上述のように、電池１０７は一実施態様において電池モジュール１０として構成される。電池モジュール１０として構成される電池システム１００の電池１０７もまた、上述のように、電池モジュール１０内部で１つまたはそれ以上のセル２６の不良が存在している間、接続動作モードで動作し続ける。したがって、電池モジュール１０の形で電池１０７を含む電池システム１００の少なくも一実施態様は、セルレベルで不良が存在する中でも動作する。
【０１０６】
図５Ａには、電池部１０４ａの他の実施態様が示されており、これは電池システム１００内において、図５の電池部１０４の代わりとして用いられることができる。図５Ａの電池１０７の配置または構成は並列の電池列と呼ばれる。
【０１０７】
より具体的には、電池部１０４と同様に、電池部１０４ａは端子１２０，１０３の中間に並列に接続された電池１０７の複数の電池列１０５からなる。しかしながら、図５Ａの電池部１０４ａにおいては、複数の交差接続１３０が電池１０７の異なる電池列１０５の中間に設けられる（この交差接続１３０は図５の電池部１０４にはない）。
【０１０８】
より具体的には、図に示される実施態様において、交差接続は、同じバンク１０８にある異なる電池列１０５の電池１０７の正極端子を電気的に接続する動作を行う。図５Ａに示されるように、１つのバンク１０８の電池１０７の正極端子は、隣り合うバンク１０８の電池１０７の負極端子と、複数のノード１３２で接続されている。交差接続１３０は、１つの電池列１０５のノード１３２を、他の電池列１０５の複数のノードのそれぞれのノードに電気的に接続して、１つの電池列１０５の電池１０７が他の電池列１０５の対応する電池１０７と並列になるように電気的に接続する。
【０１０９】
電池部１０４ａに交差接続１３０が設けられているため、電池部１０４ａは、図５の電池部１０４の配置に比べて、不良の存在下においてより容量を増やすことができる。例えば、図５について上述したように、それぞれの電池列１０５の電池のいずれかが非接続動作モードにある場合、電池列１０５のそれぞれが非接続動作モードとされる。しかしながら、電池部１０４ａの配置において、非接続動作モードで動作している電池１０７が存在することによって、その電池１０７を含む各電池列１０５は非接続動作モードにならない。これは、接続動作モードで動作している各電池列１０５の他の電池１０７は、それぞれの交差接続１３０および隣り合う電池列１０５の電池１０７を通して端子１２０，１０３と接続されているためである。
【０１１０】
したがって、電池列１０５の１つまたはそれ以上の電池１０７は、非接続動作モードである同じ電池列１０５の１つまたはそれ以上の電池１０７が存在するにもかかわらず、接続動作モードで動作し続ける。例えば、接続動作モードで動作しているある電池列１０５の１つまたはそれ以上の電池１０７は（その電池列１０５の他の電池１０７は非接続動作モードで動作する一方で）、適切な交差接続１３０、および接続動作モードにあるその電池１０７を含む他の電池列１０５を通して電気エネルギーを受け取り、または供給する。例えば、ある電池列１０５の接続動作モードで動作している１つまたはそれ以上の電池１０７は、端子１０３，１２０の１つと、接続動作モードにあり、同じバンク１０８内で、非接続動作モードにあるその電池列１０５の電池１０７と並列に接続された、異なる電池列１０５の電池１０７を通して電気的に接続される。一実施態様において、電池部１０４ａの電池１０７の電池列１０５は、対応する各バンク１０８に並列に接続された全ての電池１０７が非接続動作モードにある場合、非接続動作モードにされる。
【０１１１】
一実施態様において、電池１０７は上述した電池モジュール１０を用いて実行され、電池１０７は個々に複数のサブモジュール２２を含む。上述したように、各電池モジュール１０は、１つまたはそれ以上のサブモジュール２２が非接続動作モードで動作し、電池モジュールの少なくとも１つの他のサブモジュール２２が接続動作モードで動作する場合、接続動作モードで部分的に動作する。したがって、電池部１０４ａは接続動作モードで動作し続け、非接続動作モードで動作している１つまたはそれ以上の電池１０７の存在下、または非接続動作モードで動作している電池１０７の１つまたはそれ以上のサブモジュール２２の存在下において、電気エネルギーを負荷に供給し、または電気エネルギーを充電器から受け取る。電池１０７の電池列１０５は、非動作モードにある電池列１０５の電池１０７の１つに対応して必ずしも非接続動作モードとなる必要がないため、電池部１０４ａは図５の電池部１０４に比べて、不良に対してより弾力的であると考えられる。
【０１１２】
電池１０７の２つの電池列１０５および４つのバンク１０８が図５および図５Ａの具体的な各構成に示されるが、他の実施態様において、電池列１０５および／またはバンク１０８の数が異なっていてもよい。
【０１１３】
図６には、電池システム１００ａの他の構成が示されており、ここでは接触回路１１４が電池システム１００ａの外部にある。図６の態様において、複数の接触回路１１４は、電池システム１００ａのシステム端子１０１を負荷１１７および充電器１１９に接続している。
【０１１４】
上述のように、接触回路１１４は、システム端子１０１を、負荷１１７および充電器１１９のそれぞれ１つと選択的に電気的に接続するように個々に動作する。一実施態様において、電池システム１００ａの動作回路１０６は、図５について上述したように、急激な過電流を避けるために、接触回路１１４のそれぞれを制御するように構成される。
【０１１５】
図７には、図５に示された電池部１０４の構成について、電池１０７の電池列１０５の停止を実行するように構成された回路の一実施態様が示される。一実施態様において、電池部１０４の電池１０７の電池列１０５は、それまで接続動作モードで動作していた電池列１０５が非接続動作モードでの動作に切り替わり、停止する。
【０１１６】
上述のように、ある実施態様において、電池列１０５の電池１０７は電池モジュール１０を用いることにより実行される。上述のように、電池モジュール１０は個々にスイッチング回路２４を有するが、電池列１０５の１つの電池モジュール１０のスイッチング回路２４が開かれ（すなわち、その電池モジュール１０を非接続動作モードにする）、同じ電池列１０５の他の電池モジュール１０のスイッチング回路２４が閉じられた（すなわち、接続動作モードにする）場合、スイッチング回路２４は電気的ストレスの影響を受ける。
【０１１７】
一実施態様において、電池モジュール１０のスイッチング回路２４のいずれかにかかり、これを損傷しかねない電気的ストレスを避けるため、閉じた状態から開いた状態へ切り替えるように（電池列１０５の停止される全ての電池モジュール１０の）スイッチング回路２４を同時に制御することが好ましい。図７に明示された実施態様は、電池列制御装置とも呼ばれ、電池１０７（例えば、電池モジュール１０として実行される）の電池列１０５の停止を選択的に制御するように構成された停止制御装置１４０を含む。したがって、停止制御装置１４０は、制御回路とも呼ばれる。一つの構成において、停止制御装置１４０は、各電池列１０５に設けられる。
【０１１８】
停止制御装置１４０は、電池１０７の各電池列１０５を、電池１０７が外部装置１０２に対して電気エネルギーを受け取るおよび／または供給するように構成される接続動作モードと、電池１０７が外部装置１０２から電気的に切り離されて電気エネルギーを受け取ることも供給することもない非接続動作モードの間で制御する。電池１０７が電池モジュール１０を用いて実行される一実施態様において、電池モジュール１０の電池列１０５が非接続動作モードにあり、電池モジュール１０のスイッチング回路２４の電気ストレスを避ける必要がある時、停止制御装置１４０は、全ての電池モジュール１０のスイッチング回路２４を実質的に同時に開くように制御するように構成される。
【０１１９】
停止制御装置１４０は、図示された配置において、動作回路１０６と電気通信を行う。一実施態様において、電池列１０５の停止が適切であると決められた後、電池１０７を接続動作モードから非接続動作モードに切り替えることを求められた時に、各電池１０７のスイッチング回路２４の制御が不適切に遅い（例えば、他のタスクを実行するのに忙しい）コード、命令またはプログラミングを実行するように構成されたいずれかの回路のハードウェア空間（例えば、プロセッサ）を用いて電池列１０５の電池１０７の停止を実行することが好ましい。
【０１２０】
したがって、一実施例において、（停止制御装置１４０を含む）電池１０７の電池列１０５の停止を実行するように構成される回路が、コードを実行するように構成されたプロセッサのハードウェア空間または他のハードウェアにおいて全て実行される。例えば、一実施例において、停止制御装置１４０は、複数の直列ケーブル１４２を通して（すなわち、図に示す実施態様において、ケーブル１４２は放電または充電中、電池１０７からまたは電池１０７に動作電気エネルギーを流さない通信に用いられる）各電池列１０５の電池１０７と接続された、プロセッサ空間である。
【０１２１】
一実施態様において、動作回路１０６は、電池１０７の複数の電池列１０５の複数の停止制御装置１４０に、電池列１０５の電池１０７の動作を接続動作モードから非接続動作モードに同時に切り替えるように、システム停止コマンドを与える。システム停止コマンドを受け取ると、各停止制御装置１４０は、非接続動作モードに入るように電池１０７を実質的に同時に制御する。
【０１２２】
他の実施態様において、電池列１０５の停止は、その電池列１０５の１つの電池１０７によって開始される。例えば、各電池１０７の動作が接続動作モードにある間、電池１０７は、各ケーブル１４２に許可信号をアサートするようにそれぞれ構成される。停止制御装置１４０は、電池１０７に、許可信号が各電池１０７によってアサートされている限り、接続動作モードを維持するように命令する。しかしながら、電池１０７の１つが、許可信号から不許可信号に状態が変化した場合（各電池１０７の非接続動作モードを示す）、停止制御装置１４０は、各電池列１０５の全ての電池１０７を接続動作モードから非接続動作モードに切り替えるように制御する。一実施態様において、停止制御装置１４０は、各電池列１０５の電池１０７を接続動作モードから非接続動作モードに実質的に同時に切り替えるように制御する。適切であれば、１つまたはそれ以上の電池列１０５が非接続動作モードにある場合、電池部１０４（図５）の電池１０７の１つまたはそれ以上の電池列は接続動作モードに維持される。
【０１２３】
ある実施態様において、動作回路１０６は、１つまたはそれ以上の停止制御装置１４０に停止コマンドを送る。停止コマンドを受け取った停止制御装置１４０は、停止制御装置１４０に接続された各電池に非接続動作モードに入るように命令する。
【０１２４】
一実施態様において、電池モジュール１０として実行される各電池１０７の処理回路４４は、各電池モジュール１０の動作モードを接続動作モードから非接続動作モードに切り替えるために用いられる。一実施態様において、停止制御装置１４０は省略され、または電池モジュール１０の処理回路４４の停止動作に加えて用いられる。例えば、処理回路４４は、本明細書に記載されたように、アラーム状態を検出し、アラーム状態の検出に応答して、各電池モジュール１０を非接続動作モードにする停止コマンドを出し、また動作回路１０５に各電池モジュール１０の停止を通知する。その後、動作回路１０６は、他の電池モジュール１０に各電池モジュールの停止を通知し、これによりさらなる電池モジュール１０が停止することになる。例えば後述するように、動作回路１０６は、各電池モジュール１０の処理回路４４に、電池システム１００の電池モジュール１０の停止を開始するためのシステム停止コマンドを出す。
【０１２５】
他の一例では、１つの電池モジュール１０の処理回路４４は、各電池モジュール１０の動作モードを非接続動作モードに切り替えるコマンドを、他の電池モジュール１０の処理回路４４、動作回路１０６、または図示される具体例に記載の他の発信源から受け取り、１つの電池モジュール１０の停止を開始する。
【０１２６】
したがって、一実施態様において、各電池モジュール１０の処理回路４４は、各電池モジュール１０、電池モジュール１０の電池列１０５、または電池部１０４の全ての電池列１０５の全ての電池モジュール１０に対して、動作モードの接続動作モードから非接続動作モードへの切り替えを開始するために用いられる。
【０１２７】
図７Ａには、図５Ａに示された電池部１０４ａの構成について、電池１０７の停止を実行するように構成された回路の他の実施態様が示される。一実施態様において、電池部１０４ａの電池１０７は、それまでは接続動作モードで動作していた電池１０７が非接続動作モードに切り替えられて、停止される。
【０１２８】
一実施態様において、上述の図７の実施態様と同様に、電池部１０４ａの停止を実行するように構成される回路は、コードを実行するように構成された、停止制御装置１４０およびケーブル１４２，１４４を含む回路空間である。停止制御装置１４０は複数の直列ケーブルを用いて電池１０７に接続される。さらに、共通のバンク１０８の電池１０７は、並列ケーブル１４４によって接続される。共通のバンク１０８の少なくとも１つの電池１０７が接続動作モードで動作している場合、電池１０７のバンク１０８は、適切な直列ケーブル１４２を通して許可信号をアサートする。しかしながら、共通のバンク１０８の全ての電池１０７が非接続動作モードに入った場合、共通のバンクに対する並列ケーブル１４４上の信号は不許可とされ、これは直列ケーブル１４２を通して停止制御装置１４０によって検出される。停止制御装置１４０は、停止制御装置１４０に接続された全ての電池１０７に、非接続動作モードに入ることにより停止するように命じる処理を行う。一実施態様において、停止制御装置１４０は、停止制御装置１４０に接続された電池１０７を非接続動作モードに入るよう、電池１０７を実質的に同時に制御する。一実施態様において、電池モジュール１０として実行される電池１０７のスイッチング回路２４は、停止コマンドに応答して電池モジュール１０を非接続動作モードにするために、電池モジュール１０を、端子１０１，１０３の少なくとも１つから電気的に切り離すように制御する。
【０１２９】
上述のように、システム停止コマンドは、電池システム１００または１００ａを、電池１０７がシステム端子１０１、１０３の少なくとも１つから電気的に切り離され、電流が電池システム１００または１００ａに流れ込まずまた流れ出さない非接続動作モードにするために発せられる。電池１０７のいずれもが負荷に電気エネルギーを供給せず、または充電器から充電電流を受け取らない時、電池部１０４または１０４ａは、非接続動作モードにあるとみなされる。
【０１３０】
一例において、動作回路１０６は、電池モジュール１０として構成される各電池１０７の処理回路４４に停止を伝え、その後、各電池１０７の停止動作を実行することにより、システム停止動作を制御するように構成される。
【０１３１】
他の一実施態様において、動作回路１０６は、停止制御装置１４０に、各電池列１０５の電池１０７の停止を実行するように選択的に命令する。ある実施態様において、動作回路１０６は、各停止制御装置１４０に、電池部１０４または１０４ａの電池１０７の各電池列１０５の動作モードを接続動作モードから非接続動作モードに切り替えるシステム停止コマンドを発する。
【０１３２】
一実施態様において、動作回路１０６は、電池システム１００の安全な動作を維持するために、異なる実施態様で起こる種々の事象に対応するシステムの停止を開始する。一例において、動作回路１０６は、動作回路１０６が電池モジュール１０の１つまたはそれ以上のモジュール回路２０との通信を失ったことに対応してシステム停止を開始する。例えば、動作回路１０６は、電池システム１００の動作中各電池モジュール１０にポーリングし、ポーリングに対する電池モジュール１０からの応答を受け取るのを待つ。一実施態様において、電池モジュール１０の１つがポーリングに応答しない場合、動作回路１０６は、応答しない各電池モジュール１０の停止を開始し、または電池システム１００のシステムの停止を開始する。
【０１３３】
他の例において、システムの停止は、負荷から受け取った情報に応答して実行される。例えば、負荷は問題または不良（例えば負荷内部の）を動作回路１０６に伝え、そしてシステムの停止を開始する。
【０１３４】
他の例において、システムの停止は、非接続動作モードで動作している共通の並列バンクの全ての電池モジュールに応答して開始される。他の例において、システムの停止は、電池モジュール１０またはサブモジュール２２の１つまたはそれ以上の動作パラメータ（例えば、セル電圧、サブモジュール電圧、サブモジュール電流または逸脱した範囲の温度などの電気的特性）に関するアラーム状態に対応して開始される。したがって、一実施態様において、各電池モジュール１０の各サブモジュール２２は、アラーム状態が各サブモジュール２２または各電池モジュール１０内に存在することに応答して、または、各電池モジュール１０の外部から受け取った通信（例えば、受け取った通信は、動作回路１０６からのシステム停止コマンドを含む）に応答して、非接続動作モードにされる。
【０１３５】
各電池システム１００または１００ａは、ある事象がシステム停止に接続さるかどうかを違った形で決定するように構成される。例えば、ある電池システム１００はアラーム状態により強い耐える一方、他の電池システム１００は、アラーム条件の存在下で停止するように構成される。
【０１３６】
図８には、動作パラメータの監視動作の例が一実施態様に示される。電池モジュール１０のモジュール回路２０（例えば、図２に示される）の処理回路４４は、上述のように、電池モジュール１０の種々の動作パラメータおよびサブモジュール２２の動作パラメータを監視するように構成される。例えば、図に示される例では、処理回路４４は、電流監視５２、電圧監視５０、および温度監視５４を行う種々のセンサに接続される。一実施態様において、電流監視５２は、各レジスタ３４を通して各サブモジュール２２に流れ込むおよび流れ出す電流を監視することを可能とする回路を有する。一実施態様において、電圧監視５０は、サブモジュール２２の各セル２６の電圧、およびサブモジュール２２の電圧を監視することを可能とする回路有する。一実施態様において、温度監視５４は、充電式の電池２６およびスイッチング回路５４を含む電池モジュール１０の異なる部分の温度を監視することを可能とする。他の実施態様において、他の動作パラメータを監視する回路が用いられる。
【０１３７】
上述のように、一実施態様において、処理回路４４はまた、論理回路に、各サブモジュール２２のスイッチング回路２４の充電トランジスタおよび放電トランジスタのバイアスを制御する制御信号を発する。
【０１３８】
本明細書に記載された少なくともいくつかの実施態様は、充電式の電池システム、充電式の電池モジュール、または充電式の電池サブモジュールの故障した部分を切り離すことにより非接続動作モードにする一方、他の適切に動作している部分を接続動作モードに維
持するある動作において、改良された動作を提供する。したがって、ある実施態様において、ある部分の故障が存在しても、電気エネルギーは負荷に供給され、または充電のため充電器から受け取る。さらに、ある実施態様は、充電式の電池システムの設計において改良された柔軟性および拡張性を提供し、他の電池システムの設計に比べて、多種多様な応用を可能とする。
【０１３９】
法令に従い、本発明は、構造的および方法的な特徴について、より具体的にまたはより漠然と言葉で記載された。しかしながら、本明細書に開示された手段は、本発明を具体化するための好ましい形式からなるため、本発明は当然のことながら、記載されたおよび示された具体的な特徴に限定されるものではない。本発明は、したがって、添付された特許請求の範囲の適切な範囲内において、均等論に従って適切に解釈されるどのような形式または変更においても請求される。
【０１４０】
さらに、本発明の特徴は、開示の具体的態様の構築および／または実施における指針として記載された。本発明の発明者は、これらの記載された具体的態様はまた、これらの明確に開示された特徴に加え、さらなる発明の特徴を含み、開示し、そして記載していると考える。例えば、発明のさらなる特徴は、具体的態様において記載された特徴にくらべてより少ない、より多くの、および／または代わりとなる特徴を含む。より具体的な例において、出願人は、開示は、明確に開示された方法より少ない、より多くの、および／または代わりとなる工程を含む方法、さらには明確に開示された構造より少ない、より多くの、および／または代わりとなる装置を含み、開示し、そして記載すると考える。
【図１】
2019003953.tif 000003
【図２】
2019003953.tif 000004
【図３】
2019003953.tif 000005
【図４】
2019003953.tif 000006
【図５】
2019003953.tif 000007
【図５Ａ】
2019003953.tif 000008
【図６】
2019003953.tif 000009
【図７】
2019003953.tif 000010
【図７Ａ】
2019003953.tif 000011
【図８】
2019003953.tif 000012